【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
第１の呼び厚さを有する第１の基材；
第１の呼び厚さよりも少なくとも０．１ｍｍ小さい第２の呼び厚さを有する第２の基材；並びに
第１及び第２の基材の間に配置されてそれぞれと接触している多層中間膜；
を含み；
多層中間膜は、
第１のポリ（ビニルアセタール）樹脂及び少なくとも１種類の可塑剤を含む第１のポリマー層；
第２のポリ（ビニルアセタール）樹脂及び少なくとも１種類の可塑剤を含む第２のポリマー層；並びに
第３のポリ（ビニルアセタール）樹脂及び少なくとも１種類の可塑剤を含む第３のポリマー層；
を含み；
第２のポリマー層は第１及び第３のポリマー層のそれぞれに隣接してそれぞれと接触していて、第２のポリマー層が第１及び第３のポリマー層の間にサンドイッチされるようになっており；
第１、第２、及び第３のポリ（ビニルアセタール）樹脂は、それぞれ第１、第２、及び第３の残留ヒドロキシル含量を有し、第１及び第３の残留ヒドロキシル含量の少なくとも一方は少なくとも２０重量％であり、第２の残留ヒドロキシル含量は、第１及び第３の残留ヒドロキシル含量のそれぞれよりも少なくとも２重量％低く；
第１、第２、及び第３のポリマー層は、それぞれ第１、第２、及び第３のガラス転移温度を有し、第２のガラス転移温度は、第１及び第３のガラス転移温度のそれぞれよりも少なくとも１３℃低く；
第２の呼び厚さと第１の呼び厚さとの比は少なくとも０．２３：１乃至１：１未満の範囲であり、第１及び第２の呼び厚さの合計は３．７ｍｍ未満である多層パネル。
【請求項２】
第２の呼び厚さは第１の呼び厚さよりも少なくとも０．５ｍｍ小さい、請求項１に記載の多層パネル。
【請求項３】
第２の呼び厚さと第１の呼び厚さとの比は０．７５：１以下である、請求項１又は２に記載の多層パネル。
【請求項４】
第１及び第３の残留ヒドロキシル含量のそれぞれは少なくとも２０重量％である、請求項１から３のいずれかに記載の多層パネル。
【請求項５】
第１及び第３の残留ヒドロキシル含量の少なくとも一方は少なくとも２２重量％である、請求項１から４のいずれかに記載の多層パネル。
【請求項６】
多層パネルは、ＡＳＴＭ−Ｅ９０にしたがって測定して少なくとも３４ｄＢのコインシデンス周波数における音響透過損失を示す、請求項１から５のいずれかに記載の多層パネル。
【請求項７】
中間膜は少なくとも１つのテーパー状の区域を含み、テーパー状の区域は少なくとも０．１０ｍｒａｄの最小くさび角度を有する、請求項１から６のいずれかに記載の多層パネル。
【請求項８】
第２の呼び厚さは１．５ｍｍ未満である、請求項１から７のいずれかに記載の多層パネル。
【請求項９】
２つの外側ポリマー層のそれぞれは樹脂１００部あたり３５部（ｐｈｒ）未満の可塑剤含量を有し、内側ポリマー層は２つの外側ポリマー層のそれぞれよりも少なくとも１０ｐｈｒ高い可塑剤含量を有する、請求項１から８のいずれかに記載の多層パネル。
【請求項１０】
中間膜の少なくとも１つの層は少なくとも４０℃のガラス転移温度を有する、請求項１から９のいずれかに記載の多層パネル。
【請求項１１】
中間膜は、それぞれ２．１ｍｍの厚さを有するガラスの２つのシートの間で積層した場合に少なくとも５０Ｎ／ｍｍの撓み剛性を有する、請求項１から１０のいずれかに記載の多層パネル。
【手続補正２】
【補正対象書類名】明細書
【補正対象項目名】０１０２
【補正方法】変更
【補正の内容】
【０１０２】
[0108]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
（１）第１の呼び厚さを有する第１の基材；
第１の呼び厚さよりも少なくとも０．１ｍｍ小さい第２の呼び厚さを有する第２の基材；並びに
第１及び第２の基材の間に配置されてそれぞれと接触している多層中間膜；
を含み；
多層中間膜は、
第１のポリ（ビニルアセタール）樹脂及び少なくとも１種類の可塑剤を含む第１のポリマー層；
第２のポリ（ビニルアセタール）樹脂及び少なくとも１種類の可塑剤を含む第２のポリマー層；並びに
第３のポリ（ビニルアセタール）樹脂及び少なくとも１種類の可塑剤を含む第３のポリマー層；
を含み；
第２のポリマー層は第１及び第３のポリマー層のそれぞれに隣接してそれぞれと接触していて、第２のポリマー層が第１及び第３のポリマー層の間にサンドイッチされるようになっており；
第１、第２、及び第３のポリ（ビニルアセタール）樹脂は、それぞれ第１、第２、及び第３の残留ヒドロキシル含量を有し、第１及び第３の残留ヒドロキシル含量の少なくとも一方は少なくとも２０重量％であり、第２の残留ヒドロキシル含量は、第１及び第３の残留ヒドロキシル含量のそれぞれよりも少なくとも２重量％低く；
第１、第２、及び第３のポリマー層は、それぞれ第１、第２、及び第３のガラス転移温度を有し、第２のガラス転移温度は、第１及び第３のガラス転移温度のそれぞれよりも少なくとも１３℃低く；
第２の呼び厚さと第１の呼び厚さとの比は少なくとも０．２３：１乃至１：１未満の範囲であり、第１及び第２の呼び厚さの合計は３．７ｍｍ未満である多層パネル。
（２）第２の呼び厚さは第１の呼び厚さよりも少なくとも０．５ｍｍ小さい、（１）に記載の多層パネル。
（３）第２の呼び厚さと第１の呼び厚さとの比は０．７５：１以下である、（１）に記載の多層パネル。
（４）第１及び第３の残留ヒドロキシル含量のそれぞれは少なくとも２０重量％である、（１）に記載の多層パネル。
（５）第１及び第３の残留ヒドロキシル含量の少なくとも一方は少なくとも２２重量％である、（１）に記載の多層パネル。
（６）多層パネルは、ＡＳＴＭ−Ｅ９０にしたがって測定して少なくとも３４ｄＢのコインシデンス周波数における音響透過損失を示す、（１）に記載の多層パネル。
（７）中間膜は少なくとも１つのテーパー状の区域を含み、テーパー状の区域は少なくとも０．１０ｍｒａｄの最小くさび角度を有する、（１）に記載の多層パネル。
（８）第１の呼び厚さを有する第１の基材；
第１の呼び厚さよりも少なくとも０．５ｍｍ小さい第２の呼び厚さを有する第２の基材；並びに
第１及び第２の基材の間に配置されてそれぞれと接触している多層中間膜；
を含み；
多層中間膜は、
第１のポリ（ビニルアセタール）樹脂及び少なくとも１種類の可塑剤を含む第１のポリマー層；
第２のポリ（ビニルアセタール）樹脂及び少なくとも１種類の可塑剤を含む第２のポリマー層；並びに
第３のポリ（ビニルアセタール）樹脂及び少なくとも１種類の可塑剤を含む第３のポリマー層；
を含み；
第２のポリマー層は第１及び第３のポリマー層のそれぞれに隣接してそれぞれと接触していて、第２のポリマー層が第１及び第３のポリマー層の間にサンドイッチされるようになっており；
第１、第２、及び第３のポリ（ビニルアセタール）樹脂は、それぞれ第１、第２、及び第３の残留ヒドロキシル含量を有し、第１及び第３の残留ヒドロキシル含量の少なくとも一方は少なくとも２０重量％であり、第２の残留ヒドロキシル含量は、第１及び第３の残留ヒドロキシル含量のそれぞれよりも少なくとも２重量％低く；
第２の呼び厚さと第１の呼び厚さとの比は少なくとも０．２３：１乃至１：１未満の範囲であり、第１及び第２の呼び厚さの合計は３．７ｍｍ未満であり；
多層パネルはＡＳＴＭ−Ｅ９０にしたがって測定して少なくとも３４ｄＢのコインシデンス周波数における音響透過損失を示す多層パネル。
（９）第２の呼び厚さと第１の呼び厚さとの比は０．７５：１以下である、（８）に記載の多層パネル。
（１０）第２の呼び厚さは１．５ｍｍ未満である、（８）に記載の多層パネル。
（１１）第１、第２、及び第３のポリマー層は、それぞれ第１、第２、及び第３のガラス転移温度を有し、第２のガラス転移温度は、第１及び第３のガラス転移温度のそれぞれよりも少なくとも１３℃低い、（８）に記載の多層パネル。
（１２）２つの外側ポリマー層のそれぞれは樹脂１００部あたり３５部（ｐｈｒ）未満の可塑剤含量を有し、内側ポリマー層は２つの外側ポリマー層のそれぞれよりも少なくとも１０ｐｈｒ高い可塑剤含量を有する、（１１）に記載の多層パネル。
（１３）中間膜の少なくとも１つの層は少なくとも４０℃のガラス転移温度を有する、（８）に記載の多層パネル。
（１４）中間膜は、それぞれ２．１ｍｍの厚さを有するガラスの２つのシートの間で積層した場合に少なくとも５０Ｎ／ｍｍの撓み剛性を有する、（８）に記載の多層パネル。
（１５）中間膜は少なくとも１つのテーパー状の区域を含み、テーパー状の区域は少なくとも０．１０ｍｒａｄの最小くさび角度を有する、（８）に記載の多層パネル。
（１６）第１の呼び厚さを有する第１の基材；
１．５ｍｍ未満である第２の呼び厚さを有する第２の基材；並びに
第１及び第２の基材の間に配置されてそれぞれと接触している多層中間膜；
を含み；
多層中間膜は、
第１のポリ（ビニルアセタール）樹脂及び少なくとも１種類の可塑剤を含む第１のポリマー層；
第２のポリ（ビニルアセタール）樹脂及び少なくとも１種類の可塑剤を含む第２のポリマー層；並びに
第３のポリ（ビニルアセタール）樹脂及び少なくとも１種類の可塑剤を含む第３のポリマー層；
を含み；
第２のポリマー層は第１及び第３のポリマー層のそれぞれに隣接してそれぞれと接触していて、第２のポリマー層が第１及び第３のポリマー層の間にサンドイッチされるようになっており；
第１、第２、及び第３のポリ（ビニルアセタール）樹脂は、それぞれ第１、第２、及び第３の残留ヒドロキシル含量を有し、第１及び第３の残留ヒドロキシル含量の少なくとも一方は少なくとも２０重量％であり、第２の残留ヒドロキシル含量は、第１及び第３の残留ヒドロキシル含量のそれぞれよりも少なくとも２重量％低く；
第２の呼び厚さと第１の呼び厚さとの比は少なくとも０．２３：１乃至１：１の範囲であり；
多層パネルはＡＳＴＭ−Ｅ９０にしたがって測定して少なくとも３４ｄＢのコインシデンス周波数における音響透過損失を示す多層パネル。
（１７）中間膜の少なくとも１つの層は少なくとも４０℃のガラス転移温度を有する、（１６）に記載の多層パネル。
（１８）第１、第２、及び第３のポリマー層は、それぞれ第１、第２、及び第３のガラス転移温度を有し、第２のガラス転移温度は、第１及び第３のガラス転移温度のそれぞれよりも少なくとも１３℃低い、（１６）に記載の多層パネル。
（１９）第１及び第２の呼び厚さの合計は３．７ｍｍ未満である、（１６）に記載の多層パネル。
（２０）中間膜は少なくとも１つのテーパー状の区域を含み、テーパー状の区域は少なくとも０．１０ｍｒａｄの最小くさび角度を有する、（１６）に記載の多層パネル。